(57)【要約】      （修正有）【課題】持ち運びや収納が困難な大型パネルを比較的安価かつ容易に折り畳めることのできるパネル折りたたみ機構を提供する。【解決手段】大型パネル１を四面構成とし、一方面１０ａ、２０ａ、３０ａ、４０ａもしくは他方面１０ｂ、２０ｂ、３０ｂ、４０ｂのみ接合箇所及び、接合のない箇所を用いることで比較的安価かつ容易に折りたたみ可能とし、展示会等で必要とされる大きなサイズのパネルの収納性、輸送時の携帯性の改善を実現する。【選択図】図１
0003223632.tif 000002
【実用新案登録請求の範囲】
【請求項１】
一方面と他方面を有するパネルを一方面より見て４分割として、一方面から見て左上を第一面、左下を第二面、右上を第三面、右下を第四面として、前記第一面と前記第二面は他方面でカットされており、かつ一方面では繋がっており、前記第一面と前記第三面は一方面ではカットされており、かつ他方面では繋がっており、前記第三面と前記第四面は他方面でカットされており、かつ一方面では繋がっており、前記第二面と前記第四面はカットされている状態であるパネル折りたたみ機構。
【請求項２】
前記第一面と前記第三面を他方面が合わさるようにたたみ、前記第一面と前記第二面及び前記第三面と前記第四面ともに一方面が合わさるようにたたむことを可能とする請求項１に記載のパネル折りたたみ機構。
【請求項３】
前記パネルが芯材の表裏にシート、あるいはフィルム状材を貼着したものである請求項１または請求項２に記載のパネル折りたたみ機構。
【考案の詳細な説明】
【技術分野】
【０００１】  本考案はパネルをコンパクトに折りたたむことができるパネル折りたたみ機構に関するものである。
【背景技術】
【０００２】  展示会等で使用する大きなサイズのパネルは主に紙と発泡素材を組み合わせたパネルにアルミフレームを取り付けて使用しているが、これを小さく折りたたむなどして容易に持ち運ぶことはできなかった。
【先行技術文献】
【特許文献】
【０００３】
【特許文献１】実用新案登録第３２２１３７４号公報
【考案の概要】
【考案が解決しようとする課題】
【０００４】  展示会等で使用する大きなサイズのパネルを持ち運ぶことは難しく、小さなサイズのパネルでは目立ちにくいという問題があった。
【課題を解決するための手段】
【０００５】  一方面と他方面を有するパネルを一方面より見て４分割として、一方面から見て左上を第一面、左下を第二面、右上を第三面、右下を第四面として、前記第一面と前記第二面は他方面でカットされており、かつ一方面では繋がっており、前記第一面と前記第三面は一方面ではカットされており、かつ他方面では繋がっており、前記第三面と前記第四面は他方面でカットされており、かつ一方面では繋がっており、前記第二面と前記第四面はカットされている状態であることを特徴とする。【０００６】  又、前記第一面と前記第三面を他方面が合わさるようにたたみ、前記第一面と前記第二面及び前記第三面と前記第四面ともに一方面が合わさるようにたたむことを可能とすることを特徴とする。【０００７】  又、前記パネルが芯材の表裏にシート、あるいはフィルム状材を貼着したものであることを特徴とする。シートには紙、粘着シートも含まれる。
【考案の効果】
【０００８】  大きなサイズのパネルを、持ち運び時には小さくかつ容易に展開可能とする折りたたみ機構を有したパネルとすることで、持ち運び及び保管時には小さく、使用時においては大きく展開し目立たせることが可能となった。
【図面の簡単な説明】
【０００９】
【図１】パネル展開時の一方面及び他方面から見た図であり、ａ）は一方面より、ｂ）は他方面より見た図である。
【図２】パネルの断面図でありａ）は一方面の表層面のみを残しカット、ｂ）は他方面の表層面のみを残しカット、ｃ）は一方面より他方面までカットした状態を示す図である。
【図３】パネル展開時より収納に至る第一段階を示す図である。
【図４】パネル展開時より収納に至る第二段階を示す図である。
【図５】パネル収納時の図である。
【図６】パネル使用例１展開時強度をもたせるため補強を付けた図であり、ａ）は一方面、ｂ）は他方面より見た図である。
【図７】パネル使用例２別体装飾パネルを接合し立体的に設置した図である。
【考案を実施するための形態】
【００１０】  パネルを折りたたみ可能とするため、パネルの一方面もしくは他方面の一部を残しカットできる素材、もしくはカットした後に一方面もしくは他方面のみを接合できるシート等を用いることで、一方面、もしくは他方面のみカットされた状態、及びカットされて分離している状態を有し、本考案のように折り畳める構造を実現するものとする。
【実施例】
【００１１】  以下図面に従って実施例を説明する。図１はパネル展開時の一方面及び他方面から見た図であり、ａ）は一方面より、ｂ）は他方面より見た図である。図２はパネルの断面図でありａ）は一方面の表層面のみを残しカット、ｂ）は他方面の表層面のみを残しカット、ｃ）は一方面より他方面までカットした状態を示す図である。図１において、１は展示会等に使用される一般的なパネル、もしくは同目的で使用され得る素材に本考案機構を施した折りたたみパネル本体である。  １は１０ａ第一面一方面（裏面１０ｂ第一面他方面）、２０ａ第二面一方面（裏面２０ｂ第二面他方面）、３０ａ第三面一方面（裏面３０ｂ第三面他方面）、４０ａ第四面一方面（裏面４０ｂ第四面他方面）の４面で構成される。他方面１０ｂと２０ｂはカットされているが、一方面１０ａと２０ａは繋がっており、図２においてａ）の状態であり、一方面１０ａと３０ａはカットされているが、他方面１０ｂと３０ｂは繋がっており、図２においてｂ）の状態であり、他方面３０ｂと４０ｂはカットされているが、一方面３０ａと４０ａは繋がっており図２においてａ）の状態であり、２０ａ（２０ｂ）と４０ａ（４０ｂ）はカットされており、図２においてＣ）の状態である。図３はパネル展開時より収納に至る第一段階を示す図である。図４はパネル展開時より収納に至る第二段階を示す図である。図５はパネル収納時の図である。図３のように他方面１０ｂと３０ｂが合わさるようにたたみ、図４ように一方面１０ａと２０ａ、及び３０ａと４０ａともに一方面が合わさるようにたたむことで、図５で示すとおりサイズを簡単に小さく折りたたむことを可能とする。図６はパネル使用例であり、展開時強度をもたせるため補強を付けた図であり、ａ）は一方面、ｂ）は他方面より見た図である。必要に応じて図６における５０のような補強板を入れて使用する。図７はパネル使用例であり別体装飾パネルを接合し立体的に設置した図である。図７において６０および７０を使用することにより立体形状を保持するものとする。
【産業上の利用可能性】
【００１２】  本考案の一実施例は上記の如き構成からなるものである。パネルの種類は意匠及び強度等の必要に応じて変更するものとする。
【符号の説明】
【００１３】１  折りたたみパネル
２  パネル断面
１０ａ  第一面一方面
１０ｂ  第一面他方面
２０ａ  第二面一方面
２０ｂ  第二面他方面
３０ａ  第三面一方面
３０ｂ  第三面他方面
４０ａ  第四面一方面
４０ｂ  第四面他方面
５０    補強板
６０    別体装飾パネル
７０    パネル接合パーツ（Ｌ字型市販品）
１００  パネル芯材部（発泡材等）
１０１ａ一方面表層面（紙・シート等）
１０１ｂ他方面表層面（紙・シート等）
１１０  カットライン
【図１】
0003223632.tif 000003
【図２】
0003223632.tif 000004
【図３】
0003223632.tif 000005
【図４】
0003223632.tif 000006
【図５】
0003223632.tif 000007
【図６】
0003223632.tif 000008
【図７】
0003223632.tif 000009